(57)【特許請求の範囲】
【請求項１】
タッチパネル式の表示部を有する操作部と、
前記表示部に、操作方法を示す複数のガイダンス画像を工程順に表示させるガイダンス画像表示制御部と、
前記ガイダンス画像が表示されるとき、前記表示部に、前記操作方法の全工程を概略で表す画像であるステップバーを表示させるステップバー表示制御部と、
前記表示部に表示された前記ステップバーに対するタッチ操作を検知するステップバー操作検知部とを備え、
前記ガイダンス画像表示制御部は、前記ステップバー操作検知部により、前記ステップバーの任意の箇所へのタッチ操作が検知されたとき、当該タッチ操作によるタッチ箇所に対応付けられた前記工程に属する複数のガイダンス画像を前記表示部に表示させ、
前記ステップバーは、前記複数のガイダンス画像のそれぞれに１対１に対応するピース画像が前記工程毎に並べて構成されており、
前記ステップバー操作検知部により、前記ステップバーにおける任意のピース画像がタッチ操作されて予め定められた方向にスライド操作されるという引き出し操作が検知されたとき、
前記ステップバー表示制御部は、前記ステップバー操作検知部により検知される前記引き出し操作による前記予め定められた方向への移動量に応じた数の前記ピース画像を、前記ステップバーから前記予め定められた方向に引き出されるように見える表示を前記表示部に行わせ、
前記ガイダンス画像表示制御部は、前記ステップバーから引き出された前記ピース画像に対応する各ガイダンス画像を前記表示部に表示させる電子機器。
【請求項２】
前記ステップバー表示制御部は、前記移動量に応じた数の前記ピース画像を、前記引き出し操作に係る前記ステップバーのタッチ操作の検知箇所に対応する前記ピース画像及びこれに隣接するピース画像とする請求項１に記載の電子機器。
【請求項３】
前記ステップバー操作検知部は、前記引き出し操作の後に前記ステップバーに平行に移動されるスライド操作を検知し、
前記ステップバー表示制御部は、前記ステップバー操作検知部によって前記スライド操作が検知されたとき、当該スライド操作に応じて前記ステップバーから引き出して見せるピース画像を変更し、
前記ガイダンス画像表示制御部は、前記ステップバーから引き出された前記ピース画像に対応する各ガイダンス画像を前記表示部に表示させる請求項１又は請求項２に記載の電子機器。
【請求項４】
請求項１乃至請求項３のいずれかに記載の電子機器と、
記録紙に画像を形成する画像形成部とを備える画像形成装置。
【発明の詳細な説明】
【技術分野】
【０００１】
本発明は、電子機器及び画像形成装置に関し、特に、操作方法を示すガイダンス画像の表示時における操作性を向上させる技術に関する。
【背景技術】
【０００２】
プリンターや複合機等の画像形成装置にはユーザーに各種操作案内を提示することができる表示装置を備えたものがある。そのような表示装置を備えた画像形成装置では、画像形成動作中に例えば紙詰まりが発生したときに表示装置に処置方法を示すガイダンス画像が表示される。例えば、下記特許文献１には、表示装置に表示されるガイダンス画像に対してコマ送りキーやコマ戻しキー操作キーを押すことでユーザー所望のガイダンス画像を表示することができる画像形成装置が開示されている。また、下記特許文献２には、紙詰まりの処置において終了した工程に関するガイダンス画像をスキップする画像形成装置が開示されている。
【先行技術文献】
【特許文献】
【０００３】
【特許文献１】特開２００７−２２６０５７号公報
【特許文献２】特開平１０−１０７９４０号公報
【発明の概要】
【発明が解決しようとする課題】
【０００４】
上記特許文献１によると、コマ送りキーやコマ戻しキー操作キーを押してユーザー所望のガイダンス画像を表示させることはできるが、紙詰まりの処置方法の全工程における任意の工程のガイダンス画像にジャンプすることはできない。また、ユーザーは、所望のガイダンス画像を表示させる場合、現在表示中のガイダンス画像がどの工程のものなのかを把握しておく必要があり、ユーザーにとって操作の負担となる。
【０００５】
また、上記特許文献２によると、紙詰まりが解除された箇所については紙詰まりセンサーが紙詰まりを検知しなくなり、当該箇所は処置終了と判断されてガイダンス画像が表示されなくなる。換言すると、紙詰まりが解除されるまではその工程のガイダンス画像は表示され続ける。つまり、上記特許文献２の技術は、紙詰まりが発生した場合、順番通りに正しく処置することを前提としており、紙詰まりが発生すると、紙詰まりの処置方法の全工程の最初からガイダンス画像が表示され、任意の工程のガイダンス画像にジャンプすることはできない。
【０００６】
本発明は、上記の事情に鑑みなされたものであり、操作方法を示すガイダンス画像を表示させる際における操作性を向上させることを目的とする。
【課題を解決するための手段】
【０００７】
本発明の一局面に係る電子機器は、タッチパネル式の表示部を有する操作部と、前記表示部に、操作方法を示す複数のガイダンス画像を工程順に表示させるガイダンス画像表示制御部と、前記ガイダンス画像が表示されるとき、前記表示部に、前記操作方法の全工程を概略で表す画像であるステップバーを表示させるステップバー表示制御部と、前記表示部に表示された前記ステップバーに対するタッチ操作を検知するステップバー操作検知部とを備え、前記ガイダンス画像表示制御部は、前記ステップバー操作検知部により、前記ステップバーの任意の箇所へのタッチ操作が検知されたとき、当該タッチ操作によるタッチ箇所に対応付けられた前記工程に属する複数のガイダンス画像を前記表示部に表示させ
るものである。
【０００８】
また、本発明の一局面に係る画像形成装置は、上記電子機器と、記録紙に画像を形成する画像形成部とを備えるものである。
【発明の効果】
【０００９】
本発明によれば、操作方法を示すガイダンス画像を表示させる際における操作性を向上させることができる。
【図面の簡単な説明】
【００１０】
【図１】本発明の一実施形態に係る画像形成装置の外観を示す斜視図である。
【図２】画像形成装置の内部構成の一例を示す機能ブロック図である。
【図３】紙詰まり発生時の表示部の表示例を示す図である。
【図４】ステップバーがタッチ操作されたときの表示部の表示例を示す図である。
【図５】１つ工程におけるガイダンス画像の繰り返し表示例を説明する図である。
【図６】ステップバーにおけるピース画像がタッチ操作されたときの表示部の表示例を示す図である。
【図７】ステップバーからピース画像を引き出す操作が行われたときの表示部の表示例を示す図である。
【図８】ステップバーが図７に示した状態にあるときのガイダンス画像の繰り返し表示例を説明する図である。
【図９】図７に示した状態から更にピース画像を引き出したときのガイダンス画像の繰り返し表示例を説明する図である。
【図１０】図７に示した状態からスライド操作が行われたときの表示部の表示例を示す図である。
【図１１】画像形成装置における紙詰まり発生時のガイダンス表示処理を示すフローチャートである。
【発明を実施するための形態】
【００１１】
以下、本発明の一実施形態に係る電子機器及び画像形成装置について図面を参照して説明する。図１は、本発明の一実施形態に係る画像形成装置の外観を示す斜視図である。
【００１２】
本発明の一実施形態に係る電子機器の一例としての画像形成装置１は、ファクシミリ機能、コピー機能、プリンター機能、及びスキャナー機能等の複数の機能を兼ね備えた複合機である。
【００１３】
画像形成装置１の外郭を構成する筐体７には、画像形成装置１の様々な機能を実現するための複数の構成機器が収容されている。例えば、筐体７には、画像読取部５、画像形成部１２（図２）、定着部１３（図２）、給紙部３０等が収容されている。
【００１４】
画像読取部５は、原稿搬送部６と、原稿搬送部６により搬送されてくる原稿又は不図示のコンタクトガラスに載置された原稿を光学的に読み取るスキャナーとを有するＡＤＦ（Auto Document Feeder）である。画像読取部５は、コピー又はファクシミリ送信対象の原稿を１枚ずつ読み取ることで、画像形成対象となる画像を取得する。
【００１５】
画像形成部１２（図２）は、感光体ドラム、帯電装置、露光装置、現像装置、及び転写装置を備え、画像読取部５によって読み取られた画像や、ネットワーク接続されたパーソナルコンピューターや他のファクシミリ装置から送られてくるプリント対象データを用いて、給紙部３０から供給される記録紙に画像を形成（印刷）する。画像形成済みの記録紙は定着部１３による定着処理を受けた後、排出トレイ４に排出される。
【００１６】
操作部４７は、ユーザーが画像形成装置１に対する操作指示の入力、文字や数字等の情報の入力等を受け付ける。操作部４７は、ユーザーへの操作案内画面や各種機能の設定画面等を表示するタッチパネル式の表示部４７３を備えている。表示部４７３は、タッチパネル機能により、ユーザーによる表示部４７３に表示されたアイコンやボタンに対するタッチ操作を検知し、当該検知したタッチ操作の内容に応じて、画像形成装置１が有する各種機能の詳細項目の設定、各種機能の実行指示等を受け付ける。
【００１７】
次に、画像形成装置１の内部構成を説明する。図２は画像形成装置１の内部構成例を示す機能ブロック図である。
【００１８】
画像形成装置１は、制御ユニット１０を備える。制御ユニット１０は、プロセッサー、ＲＡＭ(Random Access Memory）、及びＲＯＭ（Read Only Memory）等から構成される。プロセッサーは、例えば、ＣＰＵ（Central Processing Unit）、ＭＰＵ、又はＡＳＩＣ等である
【００１９】
画像読取部５は、光照射部により原稿を照射し、その反射光をＣＣＤセンサーで受光することにより、原稿から画像を読み取る。
【００２０】
画像処理部３１は、画像読取部５で読み取られた原稿画像を、必要に応じて画像処理する
【００２１】
画像メモリー３２は、画像読取部５による読取で得られた原稿画像を一時的に記憶し、画像形成部１２による画像形成の対象となる画像を一時的に保存する領域である。
【００２２】
画像形成部１２は、画像読取部５で読み取られた原稿画像等の画像形成を行う。
【００２３】
定着部１３は、画像形成部１２の画像形成処理により表面に画像（トナー像）が形成された記録紙を加熱し、熱圧着により当該画像を記録紙に定着させる定着処理を行う。
【００２４】
操作部４７は、画像形成装置１が実行可能な各種動作及び処理についてユーザーからの指示を受け付ける。操作部４７は、ユーザーへの操作案内等を表示するタッチパネル式の表示部４７３を備えている。
【００２５】
ＨＤＤ（ハードディスクドライブ）９２は、画像読取部５によって読み取られた原稿画像等を記憶する大容量の記憶装置である。
【００２６】
制御ユニット１０は、制御部１００、ガイダンス画像表示制御部１０１、ステップバー表示制御部１０２、及びステップバー操作検知部１０３を備える。
【００２７】
制御ユニット１０は、例えば、上記ＨＤＤ９２等に記憶された制御プログラムが上記プロセッサーにより実行されることにより、制御部１００、ガイダンス画像表示制御部１０１、ステップバー表示制御部１０２、及びステップバー操作検知部１０３として機能する。なお、制御ユニット１０の上記の各構成は、プログラムに基づく動作によらず、それぞれハード回路により構成されてもよい。
【００２８】
制御部１００は、画像読取部５、原稿搬送部６、画像処理部３１、画像メモリー３２、画像形成部１２、定着部１３、操作部４７、表示部４７３、及びＨＤＤ９２等と接続され、これら各部の駆動制御を行う。
【００２９】
ガイダンス画像表示制御部１０１は、画像形成装置１の画像形成動作中に紙詰まりが発生したときに、表示部４７３の表示領域の所定の位置に、紙詰まりの処置方法を示すガイダンス画像を表示させる。制御ユニット１０の上記ＲＯＭ等に複数のガイダンス画像が保存されており、ガイダンス画像表示制御部１０１は、当該ＲＯＭからガイダンス画像を順に読み出して、適当な時間間隔で表示部４７３に当該ガイダンス画像を表示させる。なお、当該紙詰まりの処置方法は、特許請求の範囲における操作方法の一例である。
【００３０】
図３は、紙詰まり発生時に表示部４７３に表示される処置方法の表示例を示す図である。例えば、ガイダンス画像表示制御部１０１は、表示部４７３の表示領域の一部に、紙詰まりを処置するための一連の手順（工程）を文字で表示させる。また、ガイダンス画像表示制御部１０１は、当該一連の手順を表示する領域の隣に、ガイダンス画像８１を表示させる。本例では、ガイダンス画像表示制御部１０１が表示部４７３に表示させる紙詰まりの処置方法は、第１から第６までの６つの工程からなるものとする。ガイダンス画像表示制御部１０１は、当該６つの工程を、最初の工程から最後の工程まで順を追ってガイダンス画像８１が切り替えて表示する。これにより、ユーザーは操作すべき箇所及び操作内容を視覚的に確認することができるようになっている。
【００３１】
図２へ戻り、ステップバー表示制御部１０２は、ガイダンス画像表示制御部１０１が表示部４７３にガイダンス画像を表示させているときに、表示部４７３の表示領域における予め定められた位置に、紙詰まりの処置方法の全工程を概略で表すステップバーを表示させる。
【００３２】
例えば、図３に示すように、表示部４７３の表示領域におけるその上部にステップバー８２が表示される。ステップバー８２は、紙詰まりの処置方法の全工程の概略を示すバー画像からなる。ステップバー８２は、図３の例では、第１から第６までの各工程を表す６つの数字オブジェクト８３が並べて構成されている。
【００３３】
更に、各数字オブジェクト８３の下に複数のピース画像８４が、数字オブジェクト８３が並ぶ方向に平行に並べて配置されている。これら複数のピース画像８４はガイダンス画像８１と１対１に対応している。すなわち、各数字オブジェクト８３の下に配置されたピース画像８４の数と等しい数のガイダンス画像８１が存在する。ステップバー８２は、複数のガイダンス画像８１のそれぞれに１対１に対応するピース画像８４が上記工程毎に並べて構成されている。
【００３４】
なお、図３の例では、第１から第６の各工程にそれぞれ５つのガイダンス画像８１が属するものとしている。但し、工程ごとにガイダンス画像８１の数は異なってもよい。この場合、多くのガイダンス画像８１が属する工程の数字オブジェクト８３は幅広に、少ないガイダンス画像８１が属する工程の数字オブジェクト８３は幅狭に表示される。
【００３５】
図２へ戻り、ステップバー操作検知部１０３は、表示部４７３に表示されたステップバー８２に対するタッチ操作を検知する。具体的には、ステップバー操作検知部１０３は、ステップバー８２の任意の箇所がユーザーによりタッチされたとき、当該タッチ操作を上記タッチパネル機能からの出力に基づいて検知する。
【００３６】
図４は、ステップバー８２がタッチ操作されたときの表示部４７３の表示例を示す図である。ガイダンス画像表示制御部１０１が、表示部４７３に、紙詰まりの処置方法を示すガイダンス画像を表示させているときに、例えば、ユーザーが、ステップバー８２において第４工程を表す数字オブジェクト８３（数字「４」が表示された数字オブジェクト８３）にタッチ操作すると（タッチ位置９０）、ステップバー操作検知部１０３は、タッチ操作及び表示部４７３の表示領域における当該タッチ操作の位置を検知する。ステップバー操作検知部１０３がタッチ操作を検知すると、ステップバー表示制御部１０２は、当該タッチされた数字オブジェクト８３のコントラストを反転するなどして当該数字オブジェクト８３がタッチ操作されたことを明示する。更に、ガイダンス画像表示制御部１０１は、このようにステップバー操作検知部１０３によってタッチ操作が検知されたとき、ステップバー８２においてタッチ操作された位置に表示されている工程に属する複数のガイダンス画像８１を順次切り換えて、表示部４７３に繰り返し表示させる。
【００３７】
図５は、１つ工程におけるガイダンス画像の繰り返し表示例を説明する図である。例えば、ユーザーがステップバー８２において第４工程を表す数字オブジェクト８３に対してタッチ操作を行い、ステップバー操作検知部１０３が当該タッチ操作及びその位置を検知した場合、すなわち、第４工程を選択する指示が検知された場合、ガイダンス画像表示制御部１０１は、他のガイダンス画像８１を表示中であっても当該表示を中断し、選択された第４工程に属する各ガイダンス画像８１を、これらのガイダンス画像８１のうち最初のガイダンス画像８１から表示部４７３に表示させる。例えば、第４工程に属するガイダンス画像８１を［４−１］、［４−２］、［４−３］、［４−４］、［４−５］の５つであるとした場合、ステップバー８２において第４工程を表す数字オブジェクト８３が選択されている限り、ガイダンス画像表示制御部１０１は、［４−１］から［４−５］までの５つのガイダンス画像８１を順次切り替えて１つずつ順番に繰り返し表示させる。
【００３８】
このように、紙詰まり発生時に表示部４７３に処置方法の全工程を概略で表すステップバー８２を表示し、ステップバー８２における任意の数字オブジェクト８３がユーザーによりタッチ操作された場合に、このタッチ操作された数字オブジェクト８３が示す工程のガイダンス画像８１を表示することにより、ユーザーは、ある工程のガイダンス画像８１を見逃した場合、あるいは先の工程をみたい場合に、見たい工程を示す数字オブジェクト８３に対してタッチ操作を行えば、当該見たい工程を構成するガイダンス画像８１を表示させることができる。これにより、紙詰まりに対する処置方法としての操作方法を示すガイダンス画像８１を表示させる際における操作性を向上させることができる。
【００３９】
また、ステップバー操作検知部１０３は、ステップバー８２における任意のピース画像８４に対して行われる、ピース画像８４がタッチ操作されて予め定められた方向にスライドさせる（表示部４７３の表示画面に指を接触させたままで当該指を当該予め定められた方向に移動させる）という引き出し操作を検知する。当該予め定められた方向とは、表示部４７３に表示されているステップバー８２及びピース画像８４が並ぶ方向に直交する方向であり、例えば、図４における下方向である。さらに、ステップバー操作検知部１０３は、上記引き出し操作による上記予め定められた方向への移動量（上記スライドの移動量）も検出する。
【００４０】
ステップバー表示制御部１０２は、ステップバー操作検知部１０３により検知される上記移動量に応じた数のピース画像８４を、ステップバー８２から上記予め定められた方向に引き出されるように見える表示を表示部４７３に行わせる。
【００４１】
図６は、ステップバー８２におけるピース画像８４がタッチ操作されたときの表示部４７３の表示例を示す図である。図７は、ステップバー８２からピース画像８４を引き出す操作が行われたときの表示部４７３の表示例を示す図である。
【００４２】
例えば、ユーザーが図６に示すタッチ位置９０からそのまま指を下にずらすと、ステップバー操作検知部１０３は引き出し操作としてこれを検知する。ステップバー表示制御部１０２は、図７に示すように、タッチ位置９０のピース画像８４及びその前後のピース画像８４をステップバー８２から引き出される様子を表示させる。
【００４３】
更に、ガイダンス画像表示制御部１０１は、ステップバー８２から引き出されたピース画像８４に対応する各ガイダンス画像８１を順次切り換えて、表示部４７３に順番に繰り返して表示させる。
【００４４】
図８は、ステップバー８２が図７に示した状態にあるときのガイダンス画像８１の繰り返し表示例を説明する図である。図８には、ステップバー操作検知部１０３が、上記予め定められた方向への移動量ｘ１を検知し、ステップバー表示制御部１０２が、当該移動量ｘ１に対応するガイダンス画像８１の数が「３」であると判断した例を示している。この場合、ステップバー表示制御部１０２は、例えば、第４工程の第４番目のピース画像８４とその前後のピース画像８４（第３番目及び第５番目）を合わせた計３つのピース画像８４をステップバー８２から引き出されたようにして表示させる。このとき、ガイダンス画像表示制御部１０１は、第４工程の第３番目から第５番目まで（［４−３］から［４−５］まで）の３つのガイダンス画像８１を順次切り換えて、各ガイダンス画像８１を１つずつ順番に繰り返し表示させる。
【００４５】
図９は、図７に示した状態から更にピース画像８４を引き出したときのガイダンス画像８１の繰り返し表示例を説明する図である。図７に示した状態から更に指を下にスライドさせてずらす、すなわち引き出し量を大きくすると、ステップバー操作検知部１０３が、当該大きくなった移動量ｘ２を検知し、ステップバー表示制御部１０２は、当該移動量ｘ２に対応するピース画像８４の数を判定する。この場合、ステップバー表示制御部１０２は、当該移動量に比例させてピース画像８４の数を決定する。ここでは、当該移動量ｘ２は移動量ｘ１よりも大きくなっているため、ステップバー表示制御部１０２は、移動量ｘ２に対しては、移動量ｘ１のときよりも多くのピース画像８４の数を決定する。
【００４６】
例えば、図９には、ステップバー表示制御部１０２が、当該移動量ｘ２に対応するピース画像８４の数は「７」であると判断した例を示している。ステップバー表示制御部１０２は、例えば、第４工程の第４番目のピース画像８４についてステップバー操作検知部１０３によりタッチ操作が検知されている場合には、第４工程の第４番目のピース画像８４を中心にして、その前後３つずつのピース画像８４を含んで計７つのピース画像８４がステップバー８２から引き出されたように見せる表示を表示部４７３に行わせる。
【００４７】
この場合、ガイダンス画像表示制御部１０１は、これら７つのピース画像８４に対応する７つのガイダンス画像８１を順次切り換えて、各ガイダンス画像８１を１つずつ順番に繰り返し表示させる。具体的には、ステップバー８２からこれら７つのピース画像８４が引き出されている間、ガイダンス画像表示制御部１０１は、第４工程の第１番目から第５工程の第２番目まで（［４−１］から［５−２］まで）の７つのガイダンス画像８１を繰り返し表示させる。このように、複数の工程を跨いでガイダンス画像８１を順次切り換えて、各ガイダンス画像８１を１つずつ順番に繰り返し表示させる。
【００４８】
このように、ユーザーはステップバー８２からピース画像８４を引き出す操作をすることで、工程毎に順番に表示される複数のガイダンス画像８１のうち所望の位置のガイダンス画像８１及び所望の数のガイダンス画像８１を表示させることができる。これにより、紙詰まりに対する処置方法としての操作方法を示すガイダンス画像８１を表示させる際における操作性を更に向上させることができる。
【００４９】
また、ユーザーがステップバー８２から任意のピース画像８４を引き出してそのままステップバー８２に平行となる方向にスライドさせるスライド操作をしたとき、ステップバー操作検知部１０３は、当該スライド操作を検知する。ステップバー表示制御部１０２は、ステップバー操作検知部１０３によってスライド操作が検知されたとき、当該スライド
操作に応じてステップバー８２から引き出すピース画像８４を変更してステップバー８２を表示させる。
【００５０】
図１０は、図７に示した状態からスライド操作が行われたときの表示部４７３の表示例を示す図である。例えば、ユーザーが、図７に示した状態から指を右へスライド操作すると、ステップバー操作検知部１０３が当該スライド操作を検知する。このとき、ステップバー表示制御部１０２は、当該スライド操作の終端位置において上記予め定められた方向上に位置するピース画像８４（図１０では第５工程における第２番目のピース画像８４）を中心として、当該ピース画像８４及びその前後のピース画像８４を、上記移動量ｘ１に対応する数だけ、ステップバー８２から引き出されたように見せる表示を表示部４７３に行わせる。そして、ガイダンス画像表示制御部１０１は、図１０に例を示すように、当該新たに引き出されたように表示されるピース画像８４に対応するそれぞれのガイダンス画像８１を順次切り換えて、各ガイダンス画像８１を１つずつ順番に繰り返し表示させる。具体的には、図７に示した状態では第４工程の第３番目から第５番目までの３つのガイダンス画像８１が繰り返し表示されるが、ユーザーが上記スライド操作を行い、ステップバー表示制御部１０２が、図１０に示すように、第５工程における第１番目から第３番目までのピース画像８４を、ステップバー８２から引き出されたように見せる表示を表示部４７３に行わせているとき、ガイダンス画像表示制御部１０１は、当該３つのピース画像に対応するガイダンス画像８１、すなわち、第５工程の第１番目から第３番目までの３つのガイダンス画像８１を順次切り換えて１つずつ順番に繰り返し表示させる。
【００５１】
次に、画像形成装置１における紙詰まり発生時のガイダンス表示処理について説明する。図１１は、画像形成装置１における紙詰まり発生時のガイダンス表示処理を示すフローチャートである。
【００５２】
画像形成装置１の画像形成動作中に紙詰まりが発生すると、制御部１００は、画像形成動作を一時中止し、表示部４７３には、図３に示したような警告画面を表示させる。このとき、ガイダンス画像表示制御部１０１は、紙詰まりの処置方法の最初の工程からガイダンス画像８１を順に表示部４７３に表示させ、ステップバー表示制御部１０２は、ステップバー８２を表示部４７３に表示させる（Ｓ１）。
【００５３】
ガイダンス画像表示制御部１０１が、ガイダンス画像８１を表示部４７３に順次表示させている最中に、ユーザーがステップバー８２の任意の数字オブジェクト８３にタッチしたとき、ステップバー操作検知部１０３はタッチ操作を検出し（Ｓ２でＹＥＳ）、ステップバー表示制御部１０２はタッチ操作された数字オブジェクト８３の表示方法を変更してステップバー８２を表示させる。更に、ガイダンス画像表示制御部１０１は、タッチ操作が検出された数字オブジェクト８３に対応する工程の最初のガイダンス画像８１にジャンプして、この最初のガイダンス画像８１から当該工程に属するガイダンス画像８１を繰り返し表示部４７３に表示させる（Ｓ３）。
【００５４】
ユーザーがステップバー８２から任意のピース画像８４を引き出す上記引き出し操作をしたとき、ステップバー操作検知部１０３は当該引き出し操作を検出し（Ｓ２でＮＯ、Ｓ４でＹＥＳ）、ステップバー表示制御部１０２は引き出し操作されたピース画像８４等を、ステップバー８２から引き出されて見えるようにしてステップバー８２を表示させる。更に、ガイダンス画像表示制御部１０１は、ステップバー８２から引き出されて表示される各ピース画像８４に対応する各ガイダンス画像８１を順次切り換えて１つずつ順番に繰り返し表示させる（Ｓ５）。
【００５５】
ユーザーが上記引き出し操作を行った後、続けて上記スライド操作を行った場合は、ステップバー操作検知部１０３はスライド操作を検出し（Ｓ４でＮＯ、Ｓ６でＹＥＳ）、ス
テップバー表示制御部１０２は、当該スライド操作の終端位置において上記予め定められた方向上に位置するピース画像８４及びその前後のピース画像８４等を、ステップバー８２から引き出されたように見せる表示を表示部４７３に行わせる。そして、ガイダンス画像表示制御部１０１は、ステップバー８２から新たに引き出された当該各ピース画像８４に対応するそれぞれのガイダンス画像８１を順次切り換えて１つずつ順番に繰り返し表示させる（Ｓ７）。
【００５６】
上記Ｓ３，Ｓ５，又はＳ７でガイダンス画像８１を繰り返し表示中に、制御部１００は、当該繰り返し表示を解除するか否かを判定する。例えば、ユーザーが表示部４７３のステップバー８２以外の箇所をタッチ操作すると、操作部４７が、タッチパネル機能により、当該タッチ操作を、ガイダンス画像８１の上記繰り返し表示を中止させる中止指示として検知する（Ｓ８でＹＥＳ）。このとき、ガイダンス画像表示制御部１０１は、ガイダンス画像８１の上記繰り返し表示を中止して、Ｓ１で行っていた処置方法及びガイダンス画像８１の表示を再開する（Ｓ９）。
【００５７】
一方、ユーザーから上記中止指示がない場合には（Ｓ８でＮＯ）、それまで実行されていたＳ３，Ｓ５，又はＳ７のいずれかの処理が引き続き行われる。
【００５８】
以上、説明したように、本実施形態によると、画像形成装置１において紙詰まりが発生した際、表示部４７３にガイダンス画像８１とともにステップバー８２が表示され、ユーザーはステップバー８２を適宜操作して紙詰まりの処置方法における任意の工程のガイダンス画像８１を表示部４７３に表示させることができる。これにより、紙詰まりの処置方法を示すガイダンス画像８１を表示させる際における操作性を向上させることができる。
【００５９】
なお、本発明は上記実施の形態の構成に限られず種々の変形が可能である。例えば、上記実施形態では、ステップバー表示制御部１０２は、ステップバー８２を、図３における水平方向に表示する例を示しているが、ステップバー表示制御部１０２は、ステップバー８２を図３における垂直方向に表示するようにしてもよい。
【００６０】
また、上記実施形態では、操作方法として、紙詰まりの処置方法が表示部４７３に表示される場合を例にして説明がされているが、本発明はこれに限定されず、他の操作方法が表示部４７３に表示される場合に、上述したガイダンス表示処理が行われるものとしてもよい。
【００６１】
また、上記実施形態では、本発明に係る電子機器の一例として、画像形成装置を用いて説明しているが、これは一例に過ぎず、本発明に係る電子機器は、タッチパネル機能を有する表示部を備えた、モバイル機器、医療機器、券売機等といった機器でもよい。
【００６２】
また、図１乃至図１１を用いて上記実施形態により示した構成及び処理は、本発明の一実施形態に過ぎず、本発明を当該構成及び処理に限定する趣旨ではない。
【符号の説明】
【００６３】
１        画像形成装置
４７      操作部
４７３    表示部
８１      ガイダンス画像
８２      ステップバー
８４      ピース画像
１０１    ガイダンス画像表示制御部
１０２    ステップバー表示制御部
１０３    ステップバー操作検知部
【図１】
0006512170.tif 000002
【図２】
0006512170.tif 000003
【図３】
0006512170.tif 000004
【図４】
0006512170.tif 000005
【図５】
0006512170.tif 000006
【図６】
0006512170.tif 000007
【図７】
0006512170.tif 000008
【図８】
0006512170.tif 000009
【図９】
0006512170.tif 000010
【図１０】
0006512170.tif 000011
【図１１】
0006512170.tif 000012